(57)【要約】【課題】乾電池の電圧低下を検出した場合に、使用者に聞き取り易いタイミングで且つ適度な頻度で音声報知できる加熱調理器を提供する。【解決手段】コンロがオン状態で電池電圧の低下が検出された場合、電池交換ランプを点灯させ、ＲＡＭに記憶する電池消耗検出回数に１加算する。オン状態で電源スイッチが押下されると、コンロをオフ状態に切り替え、フラッシュメモリに電池消耗検出回数を記憶する。次回、コンロをオン状態にする為に電源スイッチが押下されると、ＣＰＵはフラッシュメモリから電池消耗検出回数を読み出し（Ｓ３）、電池消耗検出回数が１回で且つ電池電圧が所定電圧未満であった場合のみ（Ｓ８：ＹＥＳ、Ｓ９：ＮＯ）、音声報知を行う（Ｓ１１）。オン状態に切り替わった直後は音声を聞き取り易い。さらに、電池消耗検出回数は５回に達したら０に初期化するので、適度な頻度で音声報知ができる。【選択図】図４
2015050786.tif 000002
【特許請求の範囲】
【請求項１】
乾電池を電源とし、電源スイッチで当該電源のオンオフを切り替える加熱調理器であって、
前記電源がオンの間、前記電源の電圧を検出する検出手段と、
前記検出手段が検出した前記電圧が所定値未満か否か判断する判断手段と、
前記判断手段によって前記電圧が前記所定値未満と判断された回数である電池消耗検出回数を計数する計数手段と、
前記電源スイッチによって、前記電源がオンからオフに切り替えられた時に、前記計数手段が計数した前記電池消耗検出回数を不揮発性の記憶手段に記憶する記憶制御手段と、
前記記憶手段に記憶された前記電池消耗検出回数が所定回数以上に達した場合に、前記電池消耗検出回数を零に初期化する第一初期化手段と、
前記判断手段によって前記電圧が前記所定値以上と判断された場合に、前記電池消耗検出回数を零に初期化する第二初期化手段と、
前記電源スイッチによって、前記電源がオフからオンに切り替えられた時に、前記記憶手段から前記電池消耗検出回数を読み出す読出手段と、
前記読出手段によって読み出した前記電池消耗検出回数が１回であった場合に、電池交換を音声で報知する報知手段と
を備えたことを特徴とする加熱調理器。
【請求項２】
乾電池を電源とし、電源スイッチで当該電源のオンオフを切り替える加熱調理器であって、
前記電源がオンの間、前記電源の電圧を検出する検出手段と、
前記検出手段が検出した前記電圧が所定値未満か否か判断する判断手段と、
前記判断手段によって前記電圧が前記所定値未満と判断された回数である電池消耗検出回数を計数する計数手段と、
前記電源スイッチによって、前記電源がオンからオフに切り替えられた時に、前記計数手段が計数した前記電池消耗検出回数を不揮発性の記憶手段に記憶する記憶制御手段と、
前記記憶手段に記憶された前記電池消耗検出回数が所定回数以上に達した場合に、前記電池消耗検出回数を零に初期化する第三初期化手段と、
前記判断手段によって前記電圧が前記所定値以上と判断された場合に、前記電池消耗検出回数を零に初期化する第四初期化手段と、
前記電源スイッチによって、前記電源がオンからオフに切り替えられた時に、前記記憶手段から前記電池消耗検出回数を読み出す読出手段と、
前記読出手段によって読み出した前記電池消耗検出回数が１回であった場合に、電池交換を音声で報知する報知手段と
を備えたことを特徴とする加熱調理器。
【発明の詳細な説明】
【技術分野】
【０００１】
本発明は、乾電池を電源とする加熱調理器に関する。
【背景技術】
【０００２】
従来、乾電池を電源とする器具で、乾電池の電圧が低下したときに、発光ダイオードを光らせて、使用者に乾電池の交換を促すことができるガスコンロが知られている（例えば、特許文献１参照）。このガスコンロでは、電圧低下が検出された場合に発光ダイオードを光らせるだけであるので、使用者は発光ダイオードが光っていることに気付かない場合がある。そこで、例えば、電圧低下が検出された場合に、発光ダイオード等のランプを光らせると共に、「電池が消耗しています。」等の音声で使用者に報知することが考えられる。
【先行技術文献】
【特許文献】
【０００３】
【特許文献１】特開２００１−１２８３７６号公報
【発明の概要】
【発明が解決しようとする課題】
【０００４】
しかしながら、炒め物調理や揚げ物調理等の加熱調理を行っている最中に、電圧低下が検出されて電圧低下を報知する為の音声が出力された場合、加熱調理中は、例えばフライパンから聞こえる油の音や、使用者がフライ返し等の道具を用いたときに容器との接触によって生じる音、さらには、次の食材を投入する準備によって伴う音等、様々な音が出ているので、電圧低下を報知する音声が聞こえづらいという問題点があった。また、乾電池の電圧低下が検出される度に、音声で報知されてしまうと、使用者によっては煩わしく感じてしまうという問題点もあった。
【０００５】
本発明の目的は、乾電池の電圧低下を検出した場合に、使用者に聞き取り易いタイミングで且つ適度な頻度で音声報知できる加熱調理器を提供することである。
【課題を解決するための手段】
【０００６】
本発明の請求項１に係る発明の加熱調理器は、乾電池を電源とし、電源スイッチで当該電源のオンオフを切り替える加熱調理器であって、前記電源がオンの間、前記電源の電圧を検出する検出手段と、前記検出手段が検出した前記電圧が所定値未満か否か判断する判断手段と、前記判断手段によって前記電圧が前記所定値未満と判断された回数である電池消耗検出回数を計数する計数手段と、前記電源スイッチによって、前記電源がオンからオフに切り替えられた時に、前記計数手段が計数した前記電池消耗検出回数を不揮発性の記憶手段に記憶する記憶制御手段と、前記記憶手段に記憶された前記電池消耗検出回数が所定回数以上に達した場合に、前記電池消耗検出回数を零に初期化する第一初期化手段と、前記判断手段によって前記電圧が前記所定値以上と判断された場合に、前記電池消耗検出回数を零に初期化する第二初期化手段と、前記電源スイッチによって、前記電源がオフからオンに切り替えられた時に、前記記憶手段から前記電池消耗検出回数を読み出す読出手段と、前記読出手段によって読み出した前記電池消耗検出回数が１回であった場合に、電池交換を音声で報知する報知手段とを備えたことを特徴とする。
【０００７】
また、請求項２に係る発明の加熱調理器は、乾電池を電源とし、電源スイッチで当該電源のオンオフを切り替える加熱調理器であって、前記電源がオンの間、前記電源の電圧を検出する検出手段と、前記検出手段が検出した前記電圧が所定値未満か否か判断する判断手段と、前記判断手段によって前記電圧が前記所定値未満と判断された回数である電池消耗検出回数を計数する計数手段と、前記電源スイッチによって、前記電源がオンからオフに切り替えられた時に、前記計数手段が計数した前記電池消耗検出回数を不揮発性の記憶手段に記憶する記憶制御手段と、前記記憶手段に記憶された前記電池消耗検出回数が所定回数以上に達した場合に、前記電池消耗検出回数を零に初期化する第三初期化手段と、前記判断手段によって前記電圧が前記所定値以上と判断された場合に、前記電池消耗検出回数を零に初期化する第四初期化手段と、前記電源スイッチによって、前記電源がオンからオフに切り替えられた時に、前記記憶手段から前記電池消耗検出回数を読み出す読出手段と、前記読出手段によって読み出した前記電池消耗検出回数が１回であった場合に、電池交換を音声で報知する報知手段とを備えたことを特徴とする。
【発明の効果】
【０００８】
請求項１に係る発明の加熱調理器では、乾電池を電源とする器具でも、電池電圧の消耗を音声で報知できる。使用者は電池交換の必要性に気づき易く、利便性が向上する。器具の電源スイッチをオンにしたときに音声で報知するので、聞き取り易い。音声報知を所定回数に１回の割合で行うので、毎回音声報知を行うより、消費電力を節約でき、結果として電池寿命を増やすことができる。毎回音声報知でないので、使用者に対して適度に電池交換を促すことができる。
【０００９】
また、請求項２に係る発明の加熱調理器では、乾電池を電源とする器具でも、電池電圧の消耗を音声で報知できる。使用者は電池交換の必要性に気づき易く、利便性が向上する。器具の電源スイッチをオフにしたときに音声で報知するので、聞き取り易い。音声報知を所定回数に１回の割合で行うので、毎回音声報知を行うより、消費電力を節約でき、結果として電池寿命を増やすことができる。毎回音声報知でないので、使用者に対して適度に電池交換を促すことができる。
【図面の簡単な説明】
【００１０】
【図１】コンロ１の全体斜視図である。
【図２】コンロ１の全体斜視図（パネル１６，１７を取り外した状態）である。
【図３】コンロ１の電気的構成を示すブロック図である。
【図４】電池電圧監視処理（第１実施形態）のフローチャートである。
【図５】図４の続きを示すフローチャートである。
【図６】電池電圧監視処理（第２実施形態）のフローチャートである。
【図７】図６の続きを示すフローチャートである。
【発明を実施するための形態】
【００１１】
以下、本発明の第１実施形態であるコンロ１について、図面を参照して説明する。図１，図２において、左斜め下方、右斜め上方、右斜め下方、左斜め上方を、夫々、コンロ１の前方、後方、右方、左方とする。
【００１２】
図１，図２を参照し、コンロ１の構造について説明する。コンロ１は、図示しないキッチンのカウンタトップに設けられた開口に落とし込まれて設置されるビルトインコンロである。コンロ１は略直方体状の器具本体２を備える。器具本体２の上部には、トッププレート３が取り付けられている。トッププレート３の右手前には右バーナ４、左手前には左バーナ５、中央奥側には奥バーナ６が夫々設けられている。なお、詳述しないが、各種バーナ４〜６の夫々には、点火する為のイグナイタ２７（図３参照）が設けられている。トッププレート３の後ろ側には、器具本体２内に設置されるグリル庫（図示略）と連通するグリル排気口７が設けられている。
【００１３】
器具本体２の前面中央には、グリル扉８が設けられている。グリル扉８は、グリル庫内に設けられたレールユニット（図示略）によって前後方向にスライド可能である。グリル扉８の前面上部には取手部９が設けられている。使用者は、取手部９に下側から指を掛けてグリル扉８を手前側に引き出すと、レールユニットによる伸長動作により、図示しない焼き網と受皿をグリル庫から外部に同時に取り出すことができる。
【００１４】
器具本体２の前面の右上角部には、コンロ１の電源をオンオフする為に押下される電源スイッチ１０が設けられている。その電源スイッチ１０の下側には、右側から左側に向かって順に、正面視円形状の点火ボタン１１〜１３が横一列に夫々設けられている。グリル扉８の左側にも、点火ボタン１１〜１３と同一高さ位置に、正面視円形状の点火ボタン１４が設けられている。
【００１５】
点火ボタン１１は右バーナ４、点火ボタン１２は左バーナ５、点火ボタン１３は奥バーナ６、点火ボタン１４はグリル庫内のグリルバーナ（図示略）を点火／消火する為に夫々押下される。点火ボタン１１〜１４は、点火の為に押下されると、周知のプッシュオン・プッシュオフ機構（図示略）によって、器具本体２前面から前方に円柱状に突出し、該突出した状態で回動操作が可能となる。使用者は、点火ボタン１１〜１４を夫々回動させることによって、各種バーナ４〜６、２５、２６の火力調節ができる。点火ボタン１２の下方には、電池交換ランプ３３が設けられている。
【００１６】
電池交換ランプ３３の下方にはパネル１６が設けられ、点火ボタン１４の下方にはパネル１７が設けられている。パネル１６を指で押し込むと、周知のプッシュオン・プッシュオフ機構（図示略）によって、パネル１６の背面に固定されたコンロ用操作部２２が下部を基点に前方に回動して引き出される（図２参照）。パネル１７を指で押し込むと、上記同機構によって、パネル１７の背面に固定された板状のグリル用操作部２３（図２参照）が下部を基点に前方に回動して引き出される。これらパネル１６，１７を器具本体２側に再度押し込むことによって、コンロ用操作部２２及びグリル用操作部２３が、器具本体２の内側に収納され、パネル１６，１７が器具本体２の前面に対して面一となる。
【００１７】
図２に示すように、パネル１６をコンロ用操作部２２から取り外すと、コンロ用操作部２２の下部に設けられた開口２５が露出する。開口２５の奥には、電池ボックス２６が出し入れ可能に設けられている。電池ボックス２６には、コンロ１の電源としての乾電池１５が２個格納される。
【００１８】
なお、本実施形態において、コンロ１は、電源スイッチ１０の操作によって、スリープ状態、オフ状態、及びオン状態の何れかに切り替わる。スリープ状態とは、電源がオフした状態で、各種回路に電流が流れていない状態をいう。オフ状態とは、電源がオフした状態で、各種回路に電流は流れているが、点火ボタン１１〜１３、コンロ用操作部２２、グリル用操作部２３等の各種操作を受け付けない状態をいう。オン状態とは、電源がオンした状態で、コンロ１の各種回路に電流が流れ、点火ボタン１１〜１３、コンロ用操作部２２、グリル用操作部２３等の各種操作を受け付けて動作する状態をいう。
【００１９】
図３を参照し、コンロ１の電気的構成について説明する。コンロ１は制御回路７０を備える。制御回路７０は、ＣＰＵ７１、ＲＯＭ７２、ＲＡＭ７３、フラッシュメモリ７４、タイマ７５等を備える。ＣＰＵ７１はコンロ１の各種動作を統括制御する。ＲＯＭ７２はコンロ１の各種制御プログラムに加え、「電池電圧監視プログラム」を記憶する。電池電圧監視プログラムは、後述する電池電圧監視処理（図４，図５参照）を実行する為の制御プログラムである。ＲＡＭ７３は、コンロ１の各種情報を記憶する。フラッシュメモリ７４は、コンロ１の各種情報に加え、後述する電池消耗検出回数を記憶する。
【００２０】
制御回路７０には、電源回路８１、スイッチ入力回路８２、操作部回路８３、点火ボタン操作回路８４、イグナイタ回路８５、電磁弁回路８６、音声合成回路８７、第１発光制御回路８８、第２発光制御回路８９、ブザー回路９０等が各々接続されている。
【００２１】
電源回路８１は電池ボックス２６に搭載される２つの乾電池１５によって各種回路に電源を供給すると共に、乾電池電圧を検出する検出回路を有する。電源回路８１はトランジスタスイッチ（図示略）を備える。スイッチ入力回路８２は電源スイッチ１０の押下を検出する。電源スイッチ１０は、スイッチ入力回路８２、及び電池ボックス２６に格納された乾電池１５のプラス側に対して、並列に夫々接続されている。乾電池１５のマイナス側は電源回路８１に接続され、スイッチ入力回路８２も電源回路８１に接続されている。
【００２２】
後述するが、コンロ１がスリープ状態において、使用者によって、電源スイッチ１０が押下されると、乾電池１５の電源がスイッチ入力回路８２を介して電源回路８１に供給され、電源回路８１のトランジスタスイッチがオンされ、電源回路８１から各種回路に電流が流れる。そして、本実施形態では、電源スイッチ１０が押下された状態が所定時間継続した場合に、コンロ１はオン状態に切り替わる。
【００２３】
操作部回路８３は、コンロ用操作部２２及びグリル用操作部２３の各種操作を検出し、制御回路７０に入力する。点火ボタン操作回路８４は点火ボタン１１〜１４の押下、及び回動操作を検出し、制御回路７０に入力する。イグナイタ回路８５は、制御回路７０からの指令を受け、各種バーナ４〜６及びグリルバーナの夫々に設けられたイグナイタ２７を駆動する。電磁弁回路８６は、制御回路７０からの指令を受け、各種バーナ４〜６及びグリルバーナの夫々のガス供給管（図示略）に設けられた安全弁及び火力調整弁等の各種電磁弁２８を制御する。
【００２４】
音声合成回路８７は、制御回路７０からの指令を受け、スピーカ３１から出力させる音声を合成する。第１発光制御回路８８は、制御回路７０からの指令を受け、電源ランプ３２の点灯及び消灯を制御する。第２発光制御回路８９は、制御回路７０からの指令を受け、電池交換ランプ３３の点灯及び消灯を制御する。ブザー回路９０は、ブザー３４の駆動を制御する。ブザー３４は圧電ブザーであり、圧電素子と金属板を貼り合わせた振動板のたわみ振動を発音源とした周知のものである。
【００２５】
図３，図４を参照し、ＣＰＵ７１が実行する電池電圧監視処理について説明する。なお、以下説明では、電源のオンとオフを繰り返し、加熱調理の為にコンロ１を複数回使用する場面を想定して説明する。また、コンロ１をスリープ状態又はオフ状態からオン状態に切り替える動作は、本発明の「電源をオフからオンに切り替える」動作に対応する。コンロ１をオン状態からオフ状態に切り替える動作は、本発明の「電源をオンからオフに切り替える」動作に対応する。
【００２６】
［１回目の使用］
先ず、コンロ１がスリープ状態において、使用者はコンロ１を使用する為に、電源スイッチ１０を押下する。電源スイッチ１０を押下すると、上記の通り、乾電池１５の電源がスイッチ入力回路８２を介して電源回路８１に供給され、電源回路８１のトランジスタスイッチがオンされ、電源回路８１から各種回路に電流が流れるオン状態となる。ＣＰＵ７１は、ＲＯＭ７２から「電池電圧監視プログラム」を読み出し、本処理を実行する。なお、コンロ１がオフ状態において、電源スイッチ１０が押下された場合は、電源回路８１から各種回路に電流が流れているので、ＲＯＭ７２から同プログラムを読み出し、本処理を実行する。
【００２７】
ＣＰＵ７１は、時間Ｔ１の計測を開始する（Ｓ１）。時間Ｔ１は例えば１秒未満であり、タイマ７５の出力を用いて計測する。次いで、ＣＰＵ７１は、フラッシュメモリ７４から電池消耗検出回数を読み出す（Ｓ３）。読み出した電池消耗検出回数はＲＡＭ７３に記憶する。次いで、電源スイッチ１０は引き続き押下された状態か否か判断する（Ｓ４）。引き続き押下された状態であれば（Ｓ４：ＹＥＳ）、時間Ｔ１を経過したか否か判断する（Ｓ５）。時間Ｔ１を経過していない場合（Ｓ５：ＮＯ）、Ｓ４に戻り、電源スイッチ１０の押下を監視する。
【００２８】
ここで、時間Ｔ１が経過する前に、使用者が電源スイッチ１０から指を離した場合（Ｓ４：ＮＯ）、本処理を終了し、コンロ１をオフ状態に切り替える。これにより、例えば、使用者が電源スイッチ１０に誤って触れて押下してしまった場合に、コンロ１が自動でオン状態となってしまうのを防止できる。さらに、ＣＰＵ７１は、オフ状態に切り替えてから３分経過後にコンロ１をスリープ状態とする。これにより電池電圧の消耗を防ぐことができる。
【００２９】
そして、電源スイッチ１０が押下された状態で時間Ｔ１が経過した場合（Ｓ５：ＹＥＳ）、ブザー音を「ピッ」と鳴らして、電源スイッチ１０の押下を受け付けたことを使用者に報知し（Ｓ６）、コンロ１をオン状態に切り替え、電源ランプ３２を点灯させる（Ｓ７）。よって、使用者はコンロ１がオン状態になったことを認識できる。
【００３０】
次いで、ＣＰＵ７１は読み出した電池消耗検出回数が１回であるか否か判断する（Ｓ８）。例えば、電池消耗検出回数が０回であった場合（Ｓ８：ＮＯ）、図５のＳ１４に処理を進め、使用者の操作に応じてコンロ１を動作させる（Ｓ１４）。使用者は、コンロ１の各種バーナ４〜６、又はグリルバーナを燃焼させることによって加熱調理を行うことができる。この状態で、ＣＰＵ７１は電池電圧が２．４Ｖ未満か否か判断する（Ｓ１５）。電池電圧が２．４Ｖ未満であった場合（Ｓ１５：ＹＥＳ）、電池交換ランプ３３（図１，図３参照）を点灯させる（Ｓ１６）。これを見た使用者は、電池電圧が低下し、乾電池１５を取り替える時期であることを認識できる。
【００３１】
さらに、ＣＰＵ７１は、電源スイッチ１０が押下されたか否か判断する（Ｓ１７）。使用者は加熱調理を終えてコンロ１をオン状態からオフ状態に切り替える為に、電源スイッチ１０を押下する。電源スイッチ１０が押下されるまでは（Ｓ１７：ＮＯ）、Ｓ１４に戻って、電池交換ランプ３３を点灯させた状態で待機する（Ｓ１５〜Ｓ１７）。なお、電池電圧が２．４Ｖ以上であった場合は（Ｓ１５：ＮＯ）、電池交換ランプ３３を消灯した状態で、電源スイッチ１０の押下を監視する（Ｓ１７）。但し、使用中に電池電圧が２．４Ｖ未満になった場合は（Ｓ１５：ＹＥＳ）、電池交換ランプ３３を点灯させる（Ｓ１６）。
【００３２】
そして、使用者によって電源スイッチ１０が押下された場合（Ｓ１７：ＹＥＳ）、電池交換ランプ３３が点灯中か否か判断する（Ｓ１８）。電池交換ランプ３３が点灯している場合（Ｓ１８：ＹＥＳ）、ＲＡＭ７３に記憶する電池消耗検出回数に１加算する（Ｓ２０）。さらに、ＣＰＵ７１は電池消耗検出回数が５回以上であるか否か判断する（Ｓ２１）。５回以上でない場合（Ｓ２１：ＮＯ）、ブザー音を「ピッ」と鳴らして、電源スイッチ１０の押下を受け付けたことを報知し（Ｓ２３）、コンロ１をオン状態からオフ状態に切り替え、電源ランプ３２を消灯させる（Ｓ２４）。使用者はコンロ１がオフ状態になったことを認識できる。さらに、ＣＰＵ７１は電池交換ランプ３３を消灯させ（Ｓ２５）、ＲＡＭ７３に記憶する電池消耗検出回数を、フラッシュメモリ７４に書き込んでから（Ｓ２６）、本処理を終了する。
【００３３】
［２回目の使用］
使用者はコンロ１を再び使用する為に、上記のように、電源スイッチ１０を所定時間押下する。図４に戻り、ＣＰＵ７１は、ブザー音を「ピッ」と鳴らして、その押下操作を受け付け、電源ランプ３２を点灯させる（Ｓ１〜Ｓ７）。そして、フラッシュメモリ７４から読み出した電池消耗検出回数が１回であった場合（Ｓ８：ＹＥＳ）、ＣＰＵ７１は電池電圧が２．８Ｖ以上か否か判断する（Ｓ９）。
【００３４】
電池電圧が２．８Ｖ未満である場合（Ｓ９：ＮＯ）、前回の使用で電圧低下が検出されたにも関わらず、乾電池１５を新しいものと交換していないので、ＣＰＵ７１は、ブザー音を「ピピッ」と鳴らして注意を促し（Ｓ１０）、スピーカ３１（図３参照）から「電池が消耗しています。」という音声を出力して使用者に報知し（Ｓ１１）、電池交換ランプ３３を点灯させる（Ｓ１２）。ここで、コンロ１の電源スイッチ１０が押下されてオン状態に切り替わった直後は、加熱調理はまだ始まっていない。それ故、音声を比較的聞き取り易い状態である。よって、このタイミングで、乾電池１５の交換を促す音声報知を行い、それに併せて電池交換ランプ３３を点灯させる。これにより、電池電圧が低下していることを使用者に確実に気付かせることができる。そして、ＣＰＵ７１は、ＲＡＭ７３に記憶する電池消耗検出回数を２回とし（Ｓ１３）、使用者の操作に応じてコンロ１を動作させ（図５のＳ１４）、上述の処理を繰り返す。
【００３５】
また、図５に示すように、コンロ１の加熱調理を終える為に、使用者によって電源スイッチ１０が押下され（Ｓ１７：ＹＥＳ）、電池交換ランプ３３が点灯中である場合（Ｓ１８：ＹＥＳ）、上記の通り、ＣＰＵ７１はＲＡＭ７３に記憶する電池消耗検出回数に１加算する（Ｓ２０）。つまり、使用者が乾電池１５を交換せず、電池電圧が２．４Ｖ以上に回復しなければ（Ｓ１５：ＹＥＳ）、電池交換ランプ３３は点灯されるので（Ｓ１６）、電池消耗検出回数は１ずつ加算されていく（Ｓ２０）。そして、電池消耗検出回数が２〜４回である場合は（Ｓ２１：ＮＯ）、電池消耗検出回数が１回のときと同様に、そのままＣＰＵ７１は上記各処理を実行し（Ｓ２３〜２５）、フラッシュメモリ７４に電池消耗検出回数を書き込んでから（Ｓ２６）、本処理を終了する。
【００３６】
［３回目の使用］
次に、図４に戻り、使用者によって電源スイッチ１０が所定時間押下され、コンロ１がスリープ状態からオン状態に切り替わり（Ｓ１〜Ｓ７）、フラッシュメモリ７４から読み出した電池消耗検出回数が２〜４回であった場合は（Ｓ８：ＹＥＳ）、音声報知を行わずに、コンロ１を動作させ（図５のＳ１４）、電池電圧が２．４Ｖ未満であれば（Ｓ１５：ＹＥＳ）、電池交換ランプ３３を点灯させるだけである。つまり、電池電圧の低下が検出される度に音声報知を行うのではないので、使用者に煩わしさを感じさせることがない。
【００３７】
そして、コンロ１の加熱調理を終える為に、使用者によって電源スイッチ１０が押下されたときに（Ｓ１７：ＹＥＳ）、電池交換ランプ３３が点灯中である場合（Ｓ１８：ＹＥＳ）、上記の通り、ＣＰＵ７１はＲＡＭ７３に記憶する電池消耗検出回数に１加算する（Ｓ２０）。このとき、電池消耗検出回数が５回以上になった場合（Ｓ２１：ＹＥＳ）、ＣＰＵ７１はＲＡＭ７３に記憶する電池消耗検出回数を０回とする（Ｓ２２）。つまり、電池消耗検出回数が初期化されて０回に戻るので、電池消耗検出回数の５回に１回の頻度で、図４のＳ１１の音声報知を行うことができる。よって、適度な頻度で音声報知を行うので、毎回音声報知を行う場合に比べて、使用者に煩わしさを感じさせることがない上に、乾電池１５の消耗を抑えることができる。
【００３８】
また、コンロ１の加熱調理を終える為に、使用者によって電源スイッチ１０が押下されたときに（Ｓ１７：ＹＥＳ）、電池交換ランプ３３が消灯している場合（Ｓ１８：ＮＯ）、使用者によって乾電池１５が新しいものに交換され、電池電圧が復帰している。よって、ＣＰＵ７１はＲＡＭ７３に記憶する電池消耗検出回数を０回とする（Ｓ１９）。そして、上記同様に、Ｓ２３〜２５の各処理を実行してコンロ１をオフ状態に切り替え、フラッシュメモリ７４に電池消耗検出回数を書き込んでから（Ｓ２６）、本処理を終了する。
【００３９】
以上第１実施形態の説明にて、コンロ１が本発明の「加熱調理器」に相当し、電源回路８１が本発明の「検出手段」に相当し、Ｓ９、Ｓ１５の処理を実行するＣＰＵ７１が本発明の「判断手段」に相当し、Ｓ１３、Ｓ２０の処理を実行するＣＰＵ７１が本発明の「計数手段」に相当し、フラッシュメモリ７４「不揮発性の記憶手段」に相当し、Ｓ２６の処理を実行するＣＰＵ７１が本発明の「記憶制御手段」に相当し、Ｓ２２の処理を実行するＣＰＵ７１が本発明の「第一初期化手段」に相当し、Ｓ１９の処理を実行するＣＰＵ７１が本発明の「第二初期化手段」に相当し、Ｓ３の処理を実行するＣＰＵ７１が本発明の「読出手段」に相当し、Ｓ１１の処理を実行するＣＰＵ７１が本発明の「報知手段」に相当する。
【００４０】
以上説明したように、第１実施形態のコンロ１は、乾電池１５を電源とする器具である。コンロ１のオン状態の電池電圧を検出し、電圧低下が検出された場合、電池交換ランプ３３を点灯させ、ＲＡＭ７３に記憶する電池消耗検出回数に１加算する。コンロ１がオン状態で、電源スイッチ１０が押下されると、ＣＰＵ７１は、コンロ１をオフ状態に切り替え、フラッシュメモリ７４に電池消耗検出回数を記憶する。次回、コンロ１をオン状態にする為に、電源スイッチ１０が押下されると、ＣＰＵ７１は、フラッシュメモリ７４から電池消耗検出回数を読み出し、電池消耗検出回数が１回で、且つ電池電圧が２．８Ｖ未満であった場合のみ、「電池が消耗しています」という音声報知を行う。電源スイッチ１０が押下され、オン状態に切り替わった直後は、加熱調理が開始されていない。それ故、使用者は、スピーカ３１から出力される音声を聞き取り易い。さらに、電池消耗検出回数は５回に達したら０に初期化するので、適度な頻度で音声報知を行うことができる。これにより、消費電力を節約でき、結果として電池寿命を増やすことができる。また、電圧低下が検出される度に音声報知するものと比較して、使用者に対して適度に電池交換を促すことができるので、煩わしさを感じさせない。
【００４１】
次に、図６，図７を参照し、本発明の第２実施形態のコンロを説明する。第２実施形態は、第１実施形態であるコンロ１の構造と同じ構造であるが、ＣＰＵ７１が実行する電池電圧監視処理の一部が異なっている。第１実施形態では、電圧低下の音声報知を、コンロ１の電源がオフからオンに切り替わるタイミングで所定の頻度で実行する。これに対し、第２実施形態では、コンロ１の電源がオンからオフに切り替わるタイミングで所定の頻度で実行する。よって、以下説明では、第２実施形態でＣＰＵ７１が実行する電池電圧監視処理について、第１実施形態の処理との差異点を中心に説明する。なお、図６，図７のフローチャートでは、図４と図５に示す電池電圧監視処理と同じ処理については、同じステップ番号を付している。
【００４２】
図６に示すように、先ず、使用者はコンロ１を使用する為に、電源スイッチ１０を所定時間押下する。ＣＰＵ７１は、フラッシュメモリ７４から電池消耗検出回数を読み出し、ブザー音を「ピッ」と鳴らして、その押下操作を受け付け、電源ランプ３２を点灯させる（Ｓ１〜Ｓ７）。コンロ１はオン状態に切り替わる。
【００４３】
次いで、ＣＰＵ７１は、使用者の操作に応じてコンロ１を動作させる（Ｓ３１）。使用者はコンロ１の各種バーナ４〜６、又はグリルバーナを燃焼させることによって加熱調理を行うことができる。この状態で、ＣＰＵ７１は電池電圧が２．４Ｖ未満か否か判断する（Ｓ３２）。電池電圧が２．４Ｖ未満であった場合（Ｓ３２：ＹＥＳ）、電池交換ランプ３３（図１，図３参照）を点灯させる（Ｓ３３）。これを見た使用者は、電池電圧が低下し、乾電池１５を取り替える時期であることを認識できる。
【００４４】
そして、ＣＰＵ７１は、使用者がコンロ１をオフ状態にする為に、電源スイッチ１０が押下されたか否か判断する（Ｓ３４）。電源スイッチ１０が押下されるまでは（Ｓ３４：ＮＯ）、Ｓ３４に戻って、電池交換ランプ３３を点灯させた状態で待機する。なお、電池電圧が２．４Ｖ以上であった場合は（Ｓ３２：ＮＯ）、電池交換ランプ３３を消灯した状態で、電源スイッチ１０の押下を監視する（Ｓ３４）。但し、使用中に電池電圧が２．４Ｖ未満になった場合は（Ｓ３２：ＹＥＳ）、電池交換ランプ３３を点灯させる（Ｓ３４）。
【００４５】
使用者によって電源スイッチ１０が押下された場合（Ｓ３４：ＹＥＳ）、図７に示すように、電池交換ランプ３３が点灯中か否か判断する（Ｓ３５）。電池交換ランプ３３が点灯している場合（Ｓ３５：ＹＥＳ）、ＲＡＭ７３に記憶する電池消耗検出回数に１加算する（Ｓ３７）。さらに、ＣＰＵ７１は、電池消耗検出回数が１回か否か判断する（Ｓ３８）。電池消耗検出回数が１回であった場合（Ｓ３８：ＹＥＳ）、ブザー音を「ピピッ」と鳴らして注意を促し（Ｓ３９）、スピーカ３１から「電池が消耗しています。」という音声を出力して使用者に報知する（Ｓ４０）。
【００４６】
さらに、ＣＰＵ７１はＲＡＭ７３に記憶する電池消耗検出回数が５回以上か否か判断する（Ｓ２１）。電池消耗検出回数が１〜４回であれば（Ｓ２１：ＮＯ）、そして、第１実施形態と同様に、Ｓ２３〜２５の各処理を実行してコンロ１をオフ状態に切り替え、フラッシュメモリ７４に電池消耗検出回数を書き込んでから（Ｓ２６）、本処理を終了する。
【００４７】
また、電池消耗検出回数が５回以上の場合（Ｓ２１：ＹＥＳ）、電池消耗検出回数を０回に初期化する（Ｓ２２）。つまり、電池消耗検出回数が初期化されて０回に戻るので、電池消耗検出回数の５回に１回の頻度で、図７のＳ４０の音声報知を行うことができる。よって、適度な頻度で音声報知を行うので、毎回音声報知を行う場合に比べて、使用者に煩わしさを感じさせることがない上に、乾電池１５の消耗を抑えることができる。
【００４８】
以上第２実施形態の説明にて、コンロ１が本発明の「加熱調理器」に相当し、電源回路８１が本発明の「検出手段」に相当し、Ｓ３２の処理を実行するＣＰＵ７１が本発明の「判断手段」に相当し、Ｓ３７の処理を実行するＣＰＵ７１が本発明の「計数手段」に相当し、フラッシュメモリ７４「不揮発性の記憶手段」に相当し、Ｓ２６の処理を実行するＣＰＵ７１が本発明の「記憶制御手段」に相当し、Ｓ２２の処理を実行するＣＰＵ７１が本発明の「第三初期化手段」に相当し、Ｓ１９の処理を実行するＣＰＵ７１が本発明の「第四初期化手段」に相当し、Ｓ３の処理を実行するＣＰＵ７１が本発明の「読出手段」に相当し、Ｓ４０の処理を実行するＣＰＵ７１が本発明の「報知手段」に相当する。
【００４９】
以上説明したように、第２実施形態のコンロでは、電圧低下の音声報知を、コンロ１の電源がオンからオフに切り替わるタイミングで所定の頻度で実行する。電源をオンからオフに切り替える為に電源スイッチ１０を押下するタイミングでは加熱調理は終了している。それ故、第１実施形態と同様に、使用者は、スピーカ３１から出力される音声を聞き取り易い。さらに、電池消耗検出回数は５回に達したら０に初期化するので、適度な頻度で音声報知を行うことができる。これにより、消費電力を節約でき、結果として電池寿命を増やすことができる。また、電圧低下が検出される度に音声報知するものと比較して、使用者に対して適度に電池交換を促すことができるので、煩わしさを感じさせない。
【００５０】
なお、本発明は上記第１、第２実施形態に限定されるものではなく、種々の変更が可能である。上記実施形態では、ビルトインコンロであるコンロ１を本発明の一例として説明したが、テーブルコンロでもよい。また、ガスコンロ以外に、電磁調理器にも適用可能である。
【００５１】
また、上記実施形態では、電池消耗検出回数が５回（本発明の「所定回数」に相当）に達した場合に０に初期化することによって、電池電圧低下の音声報知を、電池消耗検出回数が５回に１回の頻度で行うようにしているが、所定回数を変更することによって、音声報知の頻度は変更可能である。
【符号の説明】
【００５２】
１  コンロ
１０  電源スイッチ
７１  ＣＰＵ
７４  フラッシュメモリ
８１  電源回路
【図１】
2015050786.tif 000003
【図２】
2015050786.tif 000004
【図３】
2015050786.tif 000005
【図４】
2015050786.tif 000006
【図５】
2015050786.tif 000007
【図６】
2015050786.tif 000008
【図７】
2015050786.tif 000009